(57)【特許請求の範囲】
【請求項１】
本体ケーシング（１）の上部に配設された少なくとも一つの軸流ファン（２）と、該軸流ファン（２）の上流側であって前記本体ケーシング（１）におけるケーシング前板（１ａ）を除く少なくとも一側面に形成された空気吸込口（３）に対向する熱交換器（４）とを備えた空気調和機用室外機であって、前記ケーシング前板（１ａ）の内面には、電気部品を内装した電気箱（１３）を配置するとともに、該電気箱（１３）と前記ケーシング前板（１ａ）との間には、前記電気箱（１３）におけるケーシング前板（１ａ）側の側面を凹ますことにより前記熱交換器（４）を通過した後の二次空気（Ｗ）を流通させる空気流路（１４）を形成したことを特徴とする空気調和機用室外機。
【請求項２】
本体ケーシング（１）の上部に配設された少なくとも一つの軸流ファン（２）と、該軸流ファン（２）の上流側であって前記本体ケーシング（１）におけるケーシング前板（１ａ）を除く少なくとも一側面に形成された空気吸込口（３）に対向する熱交換器（４）とを備えた空気調和機用室外機であって、前記ケーシング前板（１ａ）の内面には、電気部品を内装した電気箱（１３）を配置するとともに、該電気箱（１３）と前記ケーシング前板（１ａ）との間には、前記ケーシング前板（１ａ）と前記電気箱（１３）との間にスペーサ（１７）を介設することにより前記熱交換器（４）を通過した後の二次空気（Ｗ）を流通させる空気流路（１４）を形成したことを特徴とする空気調和機用室外機。
【請求項３】
前記空気流路（１４）の出口を、内方側に拡大したことを特徴とする請求項１および２のいずれか一項記載の空気調和機用室外機。
【請求項４】
前記空気流路（１４）における前記電気箱（１３）側には、放熱フィン（１６）を設けたことを特徴とする請求項１、２および３のいずれか一項記載の空気調和機用室外機。
【発明の詳細な説明】
【技術分野】
【０００１】
本願発明は、上吹出タイプの空気調和機用室外機に関し、さらに詳しくは、上吹出タイプの空気調和機用室外機における電気箱の配設構造に関するものである。
【背景技術】
【０００２】
本体ケーシングの上部に配設された少なくとも一つの軸流ファンと、該軸流ファンの上流側であって前記本体ケーシングの側面に形成された空気吸込口に対向する熱交換器とを備えた上吹出タイプの空気調和機用室外機はよく知られており、このような構造の空気調和機用室外機の場合、空気吸込口は、本体ケーシングの全側面に形成されることはなく、本体ケーシングの少なくとも一面（即ち、ケーシング前板）には、電気部品を内装した電気箱が配置されることとなっている。
【０００３】
上記構成とすると、電気箱が配置されているケーシング前板部分において、吸込空気流が不足してしまうため、軸流ファンの翼面近傍の気流乱れが増大することとなり、周方向に局所的な騒音（即ち、ＮＺ音）が増大するという不具合が生ずる。
【０００４】
そこで、上記不具合を解消するために、軸流ファンの上流側に位置するケーシング前板に開口を形成して、該開口からの吸込空気流により軸流ファンへの吸込気流の不足を補うようにした技術が提案されている（特許文献１参照）。
【０００５】
【特許文献１】特開平１１−３０４１９６号公報。
【発明の開示】
【発明が解決しようとする課題】
【０００６】
ところが、上記特許文献１に開示されている技術の場合、ケーシング前板に形成された開口からの吸込空気流により軸流ファンへの吸込気流の不足を補うこととなっているが、ケーシング前板に形成された開口からの吸込空気流は、熱交換器を通過していない一次空気であるため、軸流ファンの能力を無駄に使うこととなるという新たな問題が生ずる。
【０００７】
本願発明は、上記の点に鑑みてなされたもので、軸流ファンへの吸込気流の不足を補う空気流として、熱交換器を通過した空気流を用い得るようにし、省エネ性と静音性とを両立できるようにすることを目的としている。
【課題を解決するための手段】
【０００８】
本願発明では、上記課題を解決するための第１の手段として、本体ケーシング１の上部に配設された少なくとも一つの軸流ファン２と、該軸流ファン２の上流側であって前記本体ケーシング１におけるケーシング前板１ａを除く少なくとも一側面に形成された空気吸込口３に対向する熱交換器４とを備えた空気調和機用室外機において、前記ケーシング前板１ａの内面に、電気部品を内装した電気箱１３を配置するとともに、該電気箱１３と前記ケーシング前板１ａとの間に、前記電気箱１３におけるケーシング前板１ａ側の側面を凹ますことにより前記熱交換器４を通過した後の二次空気Ｗを流通させる空気流路１４を形成している。
【０００９】
上記のように構成したことにより、軸流ファン２の運転により空気吸込口３から吸い込まれ、熱交換器４を通過した二次空気Ｗがケーシング前板１ａと電気箱１３との間に形成された空気流路１４を介して軸流ファン２に供給されることとなる。従って、ケーシング前板１ａ側における吸込空気流の不足が、ケーシング前板１ａと電気箱１３との間に形成された空気流路１４を介して軸流ファン２に供給される吸込空気流（即ち、熱交換器を通過した二次空気Ｗ）により補われることとなり、従来生じていた吸込空気流の不足に起因する局所的な騒音（即ち、ＮＺ音）の上昇を効果的に抑制することができる。しかも、熱交換器４を通過した二次空気Ｗを利用することとなるため、軸流ファン２の能力（換言すれば、ファンモータ９の入力）を無駄に使うことがなくなり、省エネ性を低下させることもなくなる。つまり、省エネ性と静音性とを両立させることができるのである。また、前記空気流路１４を、前記電気箱１３の側面を凹ますことにより形成しているので、電気箱の側面を凹ますだけで、空気流路の形成が行えることとなり、コスト的に有利となる。
【００１０】
本願発明では、上記課題を解決するための第２の手段として、本体ケーシング１の上部に配設された少なくとも一つの軸流ファン２と、該軸流ファン２の上流側であって前記本体ケーシング１におけるケーシング前板１ａを除く少なくとも一側面に形成された空気吸込口３に対向する熱交換器４とを備えた空気調和機用室外機において、前記ケーシング前板１ａの内面に、電気部品を内装した電気箱１３を配置するとともに、該電気箱１３と前記ケーシング前板１ａとの間に、前記ケーシング前板１ａと前記電気箱１３との間にスペーサ１７を介設することにより前記熱交換器４を通過した後の二次空気Ｗを流通させる空気流路１４を形成している。
【００１１】
上記のように構成したことにより、軸流ファン２の運転により空気吸込口３から吸い込まれ、熱交換器４を通過した二次空気Ｗがケーシング前板１ａと電気箱１３との間に形成された空気流路１４を介して軸流ファン２に供給されることとなる。従って、ケーシング前板１ａ側における吸込空気流の不足が、ケーシング前板１ａと電気箱１３との間に形成された空気流路１４を介して軸流ファン２に供給される吸込空気流（即ち、熱交換器を通過した二次空気Ｗ）により補われることとなり、従来生じていた吸込空気流の不足に起因する局所的な騒音（即ち、ＮＺ音）の上昇を効果的に抑制することができる。しかも、熱交換器４を通過した二次空気Ｗを利用することとなるため、軸流ファン２の能力（換言すれば、ファンモータ９の入力）を無駄に使うことがなくなり、省エネ性を低下させることもなくなる。つまり、省エネ性と静音性とを両立させることができるのである。また、前記空気流路１４を、前記ケーシング前板１ａと前記電気箱１３との間にスペーサ１７を介設することにより形成しているので、電気箱に対する加工が不要となるところから、電気箱の内容積を従来と同等の大きさに確保することができる。
【００１２】
本願発明では、さらに、上記課題を解決するための第３の手段として、上記第１又は第２の手段を備えた空気調和機用室外機において、前記空気流路の出口を、内方側に拡大することもでき、そのように構成した場合、空気流路を介して軸流ファンに供給される二次空気が、空気流路の出口側において拡大して流れることとなり、スムーズな流れが得られるとともに、軸流ファンにおける羽根７，７・・の外周端のより広範囲に二次空気Ｗの供給がなされることとなり、局所的な騒音（即ち、ＮＺ音）の上昇をより効果的に抑制することができる。
【００１３】
本願発明では、さらに、上記課題を解決するための第４の手段として、上記第１、第２又は第３の手段を備えた空気調和機用室外機において、前記空気流路１４における前記電気箱１３側に、放熱フィン１６を設けることもでき、そのように構成した場合、電気箱１３内で生ずる熱が放熱フィン１６を介して空気流路１４を流れる二次空気Ｗ側に放熱されることとなり、電気箱１３内の温度上昇を効果的に抑制することができる。
【発明の効果】
【００１４】
本願発明の第１の手段によれば、本体ケーシング１の上部に配設された少なくとも一つの軸流ファン２と、該軸流ファン２の上流側であって前記本体ケーシング１におけるケーシング前板１ａを除く少なくとも一側面に形成された空気吸込口３に対向する熱交換器４とを備えた空気調和機用室外機において、前記ケーシング前板１ａの内面に、電気部品を内装した電気箱１３を配置するとともに、該電気箱１３と前記ケーシング前板１ａとの間に、前記熱交換器４を通過した後の二次空気Ｗを流通させる空気流路１４を形成して、軸流ファン２の運転により空気吸込口３から吸い込まれ、熱交換器４を通過した二次空気Ｗがケーシング前板１ａと電気箱１３との間に形成された空気流路１４を介して軸流ファン２に供給されるようにしたので、ケーシング前板１ａ側における吸込空気流の不足が、ケーシング前板１ａと電気箱１３との間に形成された空気流路１４を介して軸流ファン２に供給される吸込空気流（即ち、熱交換器を通過した二次空気Ｗ）により補われることとなり、従来生じていた吸込空気流の不足に起因する局所的な騒音（即ち、ＮＺ音）の上昇を効果的に抑制することができるとともに、軸流ファン２の能力（換言すれば、ファンモータ９の入力）を無駄に使うということもなく、省エネ性と静音性とを両立させることができるという効果がある。また、前記空気流路１４を、前記電気箱１３の側面を凹ますことにより形成しているので、電気箱の側面を凹ますだけで、空気流路の形成が行えることとなり、コスト的に有利となるという効果もある。
【００１５】
本願発明の第２の手段によれば、本体ケーシング１の上部に配設された少なくとも一つの軸流ファン２と、該軸流ファン２の上流側であって前記本体ケーシング１におけるケーシング前板１ａを除く少なくとも一側面に形成された空気吸込口３に対向する熱交換器４とを備えた空気調和機用室外機において、前記ケーシング前板１ａの内面に、電気部品を内装した電気箱１３を配置するとともに、該電気箱１３と前記ケーシング前板１ａとの間に、前記熱交換器４を通過した後の二次空気Ｗを流通させる空気流路１４を形成して、軸流ファン２の運転により空気吸込口３から吸い込まれ、熱交換器４を通過した二次空気Ｗがケーシング前板１ａと電気箱１３との間に形成された空気流路１４を介して軸流ファン２に供給されるようにしたので、ケーシング前板１ａ側における吸込空気流の不足が、ケーシング前板１ａと電気箱１３との間に形成された空気流路１４を介して軸流ファン２に供給される吸込空気流（即ち、熱交換器を通過した二次空気Ｗ）により補われることとなり、従来生じていた吸込空気流の不足に起因する局所的な騒音（即ち、ＮＺ音）の上昇を効果的に抑制することができるとともに、軸流ファン２の能力（換言すれば、ファンモータ９の入力）を無駄に使うということもなく、省エネ性と静音性とを両立させることができるという効果がある。また、前記空気流路１４を、前記ケーシング前板１ａと前記電気箱１３との間にスペーサ１７を介設することにより形成しているので、電気箱１３に対する加工が不要となるところから、電気箱１３の内容積を従来と同等の大きさに確保することができるという効果もある。
【００１６】
本願発明の第３の手段におけるように、上記第１又は第２の手段を備えた空気調和機用室外機において、前記空気流路１４の出口を、内方側に拡大することもでき、そのように構成した場合、空気流路１４を介して軸流ファン２に供給される二次空気Ｗが、空気流路１４の出口側において拡大して流れることとなり、スムーズな流れが得られるとともに、軸流ファン２における羽根７，７・・の外周端のより広範囲に二次空気Ｗの供給がなされることとなり、局所的な騒音（即ち、ＮＺ音）の上昇をより効果的に抑制することができる。
【００１７】
本願発明の第４の手段におけるように、上記第１、第２又は第３の手段を備えた空気調和機用室外機において、前記空気流路１４における前記電気箱１３側に、放熱フィン１６を設けることもでき、そのように構成した場合、電気箱１３内で生ずる熱が放熱フィン１６を介して空気流路１４を流れる二次空気Ｗ側に放熱されることとなり、電気箱１３内の温度上昇を効果的に抑制することができる。
【発明を実施するための最良の形態】
【００１８】
以下、添付の図面を参照して、本願発明を幾つかの好適な実施の形態について説明する。
【００１９】
第１の実施の形態
図１ないし図３には、本願発明の第１の実施の形態にかかる空気調和機用室外機が示されている。
【００２０】
この空気調和機用室外機は、横断面矩形形状の本体ケーシング１の上部に配設された軸流ファン２と、該軸流ファン２の上流側であって前記本体ケーシング１におけるケーシング前板１ａを除く三側面に形成された空気吸込口３，３，３に対向する横断面Ｕ字形状の熱交換器４とを備えて構成されている。なお、圧縮機等は図示省略されている。この場合、本体ケーシング１は、横幅が奥行きより大きな横断面矩形形状とされている。符号５は本体ケーシング１の角部に立設された支柱である。
【００２１】
前記軸流ファン２は、例えば円柱形状のボス６の外周に４枚の羽根７，７・・を放射状に取り付けてなる羽根車８と、該羽根車８を回転駆動させるファンモータ９とからなっており、前記ファンモータ９を前記熱交換器４より上方においてモータ台ステー１０，１０により支持することにより、本体ケーシング１の上部に配設されることとなっている。符号１１は空気吹出口を構成するベルマウス、１２は空気吹出口を覆うファンガードである。
【００２２】
そして、前記ケーシング前板１ａの内面において片側に寄った位置には、電気部品（図示省略）を内装した電気箱１３が配置されており、該電気箱１３と前記ケーシング前板１ａとの間には、前記熱交換器４を通過した後の二次空気Ｗを流通させる空気流路１４が電気箱１３の上下方向全長に亘って形成されている。この場合、前記空気流路１４は、前記電気箱１３の側面（即ち、ケーシング前板１ａ側の側面）を凹ますことにより形成されている。また、前記電気箱１３は、反ケーシング前板側の側面１３ａを上方に向かうにしたがってケーシング前板１ａ側に近づく斜面とされている。このようにすることにより、軸流ファン２への吸込領域の拡大が可能となるのである。符号１５は電気箱１３を支持すべく前記支柱５，５間に架設されたステーであり、該ステー１５における電気箱１３の支持部１５ａは、前記空気流路１４の入口を塞がないように屈曲せしめられている。
【００２３】
上記のように構成された空気調和機用室外機においては、次のような作用効果が得られる。
【００２４】
軸流ファン２の運転により空気吸込口３，３，３から吸い込まれ、熱交換器４を通過した二次空気Ｗがケーシング前板１ａと電気箱１３との間に形成された空気流路１４を介して軸流ファン２に供給されることとなる。従って、ケーシング前板１側における吸込空気流の不足が、ケーシング前板１ａと電気箱１３との間に形成された空気流路１４を介して軸流ファン２に供給される吸込空気流（即ち、熱交換器を通過した二次空気Ｗ）により補われることとなり、従来生じていた吸込空気流の不足に起因する局所的な騒音（即ち、ＮＺ音）の上昇を効果的に抑制することができる。しかも、熱交換器４を通過した二次空気Ｗを利用することとなるため、軸流ファン２の能力（換言すれば、ファンモータ９の入力）を無駄に使うことがなくなり、省エネ性を低下させることもなくなる。つまり、省エネ性と静音性とを両立させることができるのである。
【００２５】
また、電気箱１３の側面を凹ますだけで、空気流路１４の形成が行えるので、コスト的に有利となる。
【００２６】
第２の実施の形態
図４および図５には、本願発明の第２の実施の形態にかかる空気調和機用室外機が示されている。
【００２７】
この場合、空気流路１４の出口は、電気箱１３の上面側に向かって内方に傾斜する傾斜面１４ａを形成することにより内方側に拡大されている。このようにすると、空気流路１４を介して軸流ファン２に供給される二次空気Ｗが、空気流路１４の出口側において拡大して流れることとなり、スムーズな流れが得られるとともに、軸流ファン２における羽根７，７・・の外周端にも二次空気Ｗの供給がなされることとなり、局所的な騒音（即ち、ＮＺ音）の上昇をより効果的に抑制することができる。
【００２８】
また、本実施の形態においては、空気流路１４における電気箱１３側には、多数の放熱フィン１６，１６・・が設けられている。該各放熱フィン１６は、空気流路１４の途中において電気箱１３から一体に突設されている。このようにすると、電気箱１４内で生ずる熱が放熱フィン１６，１６・・を介して空気流路１４を流れる二次空気Ｗ側に放熱されることとなり、電気箱１３内の温度上昇を効果的に抑制することができる。
【００２９】
その他の構成および作用効果は、第１の実施の形態におけると同様なので説明を省略する。
【００３０】
第３の実施の形態
図６および図７には、本願発明の第３の実施の形態にかかる空気調和機用室外機が示されている。
【００３１】
この場合、空気流路１４は、ケーシング前板１ａと電気箱１３との間に一対のスペーサ１７，１７を介設することにより形成されている。該スペーサ１７，１７は、電気箱１３の上下方向全長に亘って介在されるのが望ましい。このようにすると、電気箱１３に対する加工が不要となるところから、電気箱１３の内容積を従来と同等の大きさに確保することができる。
【００３２】
また、本実施の形態においても、空気流路１４の出口は、電気箱１３の上面側に向かって内方に傾斜する傾斜面１４ａを形成することにより内方側に拡大されている。このようにすると、空気流路１４を介して軸流ファン２に供給される二次空気Ｗが、空気流路１４の出口側において拡大して流れることとなり、スムーズな流れが得られるとともに、軸流ファン２における羽根７，７・・の外周端のより広範囲に二次空気Ｗの供給がなされることとなり、局所的な騒音（即ち、ＮＺ音）の上昇をより効果的に抑制することができる。
【００３３】
さらに、本実施の形態においても、空気流路１４における電気箱１３側には、多数の放熱フィン１６，１６・・が設けられている。該各放熱フィン１６は、空気流路１４の途中において電気箱１３から一体に突設されている。このようにすると、電気箱１４内で生ずる熱が放熱フィン１６，１６・・を介して空気流路１４を流れる二次空気Ｗ側に放熱されることとなり、電気箱１３内の温度上昇を効果的に抑制することができる。
【００３４】
その他の構成および作用効果は、第１の実施の形態におけると同様なので説明を省略する。
【００３５】
第４の実施の形態
図８には、本願発明の第４の実施の形態にかかる空気調和機用室外機が示されている。
【００３６】
この場合、本体ケーシング１の上部には、一対の軸流ファン２，２が配設されている。その他の構成および作用効果は、第１の実施の形態におけると同様なので説明を省略する。  第５の実施の形態
図９および図１０には、本願発明の第５の実施の形態にかかる空気調和機用室外機が示されている。
【００３７】
この場合、本体ケーシング１は、横幅より奥行きが大きい横断面矩形形状とされており、電気箱１３は、ケーシング前板１ａにおける幅方向中央部に配置されている。そして、電気箱１３とケーシング前板１ａとの間には、前記熱交換器４を通過した後の二次空気Ｗを流通させる空気流路１４が電気箱１３の上下方向全長に亘って形成されている。この場合、前記空気流路１４は、前記電気箱１３の側面（即ち、ケーシング前板１ａ側の側面）を凹ますことにより形成されている。前記電気箱１３における反ケーシング前板側の側面１３ａは鉛直面とされている。
【００３８】
ところで、電気箱１３をケーシング前板１ａの幅方向中央部に配置すると、電気箱１３と軸流ファン２の羽根７，７・・とが重なり合う部分が大きくなるところから、ケーシング前板１ａ側における吸込空気流不足が顕著となるが、本実施の形態におけるように、電気箱１３とケーシング前板１ａとの間に、前記熱交換器４を通過した後の二次空気Ｗを流通させる空気流路１４を電気箱１３の上下方向全長に亘って形成した場合の作用効果（即ち、空気流路１４を介して軸流ファン２に供給される吸込空気流によりケーシング前板１ａ側に生ずる吸込空気流不足が補われるという作用効果）がより効果的となる。
【００３９】
また、空気流路１４の出口は、電気箱１３の上面側に向かって内方に傾斜する傾斜面１４ａを形成することにより内方側に拡大されている。このようにすると、空気流路１４を介して軸流ファン２に供給される二次空気Ｗが、空気流路１４の出口側において拡大して流れることとなり、スムーズな流れが得られるとともに、軸流ファン２における羽根７，７・・の外周端にも二次空気Ｗの供給がなされることとなり、局所的な騒音（即ち、ＮＺ音）の上昇をより効果的に抑制することができる。
【００４０】
さらに、本実施の形態においても、空気流路１４における電気箱１３側には、多数の放熱フィン１６，１６・・が設けられている。該各放熱フィン１６は、空気流路１４の途中において電気箱１３から一体に突設されている。このようにすると、電気箱１４内で生ずる熱が放熱フィン１６，１６・・を介して空気流路１４を流れる二次空気Ｗ側に放熱されることとなり、電気箱１３内の温度上昇を効果的に抑制することができる。
【００４１】
本実施の形態においても、ケーシング前板と電気箱との間にスペーサを介在させて空気流路を形成するようにしてもよい。
【００４２】
その他の構成および作用効果は、第１の実施の形態におけると同様なので説明を省略する。
【００４３】
なお、上記各実施の形態においては、ケーシング前板を除く三側面に空気吸込口を形成したものについて説明したが、三側面のうち少なくとも一側面に空気吸込口が形成されるものにも本願発明は適用可能である。また、熱交換器として横断面Ｕ字形状のものについて説明したが、空気吸込口毎に熱交換器を配設したものとすることもできる。さらに、軸流ファンの個数は１個以上とすることができる。
【００４４】
本願発明は、上記各実施の形態に限定されることはなく、発明の要旨を逸脱しない範囲において適宜設計変更可能なことは勿論である。
【図面の簡単な説明】
【００４５】
【図１】本願発明の第１の実施の形態にかかる空気調和機用室外機のファンガードを取り除いた平面図である。
【図２】図１のＩＩ−ＩＩ断面図である。
【図３】図１のＩＩＩ−ＩＩＩ断面図である。
【図４】本願発明の第２の実施の形態にかかる空気調和機用室外機のファンガードを取り除いた平面図である。
【図５】図４のＶ−Ｖ断面図である。
【図６】本願発明の第３の実施の形態にかかる空気調和機用室外機のファンガードを取り除いた平面図である。
【図７】図６のＶＩＩ−ＶＩＩ断面図である。
【図８】本願発明の第４の実施の形態にかかる空気調和機用室外機のファンガードを取り除いた平面図である。
【図９】本願発明の第５の実施の形態にかかる空気調和機用室外機のファンガードを取り除いた平面図である。
【図１０】図９のＸ−Ｘ断面図である。
【符号の説明】
【００４６】
１は本体ケーシング
１ａはケーシング前板
２は軸流ファン
３は空気吸込口
４は熱交換器
８は羽根車
９はファンモータ
１３は電気箱
１４は空気流路
１４ａは傾斜面
１６は放熱フィン
１７はスペーサ
Ｗは二次空気
【図１】
0004735214.tif 000002
【図２】
0004735214.tif 000003
【図３】
0004735214.tif 000004
【図４】
0004735214.tif 000005
【図５】
0004735214.tif 000006
【図６】
0004735214.tif 000007
【図７】
0004735214.tif 000008
【図８】
0004735214.tif 000009
【図９】
0004735214.tif 000010
【図１０】
0004735214.tif 000011